(57)【要約】【課題】  解決しようとする課題は、その商品購入意図を示した会員に対してのみの商品価格データを、リーダライタ搭載した棚ラベル表示装置から、会員所持の携帯電話機の非接触ＩＣチップへ送信し画面表示する場合の、電波干渉、バッテリ消耗、不正利用を防止できる小型で省電力、高速反応、ワイヤレスで行える棚ラベル表示装置を提供することにある。【解決手段】    個別の商品陳列棚に設置される棚ラベル表示装置に、携帯電話機のタッチ検出手段と電源制御機能を備えたリーダライタを搭載し、会員が所持している携帯電話機のタッチ操作を検出、リーダライタに電源を投入し、非接触ＩＣチップの固有ＩＤを読み出し、予めホストコンピュータから受信し記憶しておいた固有ＩＤ／価格情報と比較照合することで会員判別を行い、会員の所持する携帯電話機の非接触ＩＣチップへ送信することで、携帯電話画面へ商品価格を表示させる。【選択図】  図１
2008146478.tif 000002
【特許請求の範囲】
【請求項１】
液晶表示器３、制御ＣＰＵ２、リーダライタ１０、非接触ＩＣチップ搭載携帯電話機タッチ検出手段７、ホストコンピュータ５ａとの通信インターフェース４と、表示データ記憶用メモリ６、制御用電源バッテリ９を備え、リーダライタ１０の電源制御機能を内蔵する棚ラベル表示装置。
【請求項２】
請求項１に記載の棚ラベル表示装置において、会員であることを携帯電話搭載の非接触ＩＣチップの固有ＩＤを活用し、その固有ＩＤ／価格データを会員の来店時にホストコンピュータが処理したデータを受信し、メモリ６へタイムスタンプ付きで記憶、会員の携帯電話機タッチを検出し、リーダライタ１０の電源をＯＮさせ、携帯電話機内蔵非接触ＩＣチップ１１に記録されている固有データをリーダライタ１０で読み取り、前記の記憶している固有ＩＤと照合、一致したら、携帯電話機８の非接触ＩＣチップ１１へ、前記の記憶している価格データを送信し、携帯電話機８の画面へ表示する機能を備えたことを特徴とする棚ラベル表示装置。
【請求項３】
請求項１に記載の棚ラベル表示装置において、予めホストコンピュータから会員コード情報を受信し、メモリ６へ記憶、会員の来店時にホストコンピュータが会員の携帯電話機の非接触ＩＣチップメモリエリアに、顧客ステータスに該当する会員コード情報を書き込み、棚ラベル表示装置へ携帯電話機がタッチされたときに、前記会員コード情報をリーダライタ１０で読み取り、メモリ６に記憶している会員コード情報と照合、一致したら、非接触ＩＣチップ１１へ、前記の記憶している価格データを送信し、携帯電話機８の画面へ表示する機能を備えたことを特徴とする棚ラベル表示装置。
【請求項４】
請求項２又は請求項３のいずれか１項に記載の棚ラベル表示装置において、リーダライタ１０の電源供給は、携帯電話機８のタッチ操作により開始し、会員データ読み取りと価格データ送信が終了したら、直後に遮断させ、再起動には、一定時間のタイムロック付き電源制御手段を備えたことを特徴とする棚ラベル表示装置。
【請求項５】
請求項２又は請求項３ののいずれか１項に記載の棚ラベル表示装置において、書き換え可能であり、電源供給されなくても消えないメモリを搭載したことを特徴とする棚ラベル表示装置。
【発明の詳細な説明】
【技術分野】
【０００１】
本発明は、スーパーなどでの商品陳列棚へ価格表示をするための棚ラベル表示装置に関する。
【背景技術】
【０００２】
大規模店舗などにおいては、商品陳列棚に棚ラベル表示装置を設けて、全来店者へ割引サービス案内を行っているが、会員別割引サービスもしたいと望んでおり、その装置としては、価格データ変更、レイアウト変更が容易なことが望まれる一方、小型で応答速度が速く、省電力であり、またワイヤレスであることも望まれている。
【０００３】
その一つの改善策として、売り場に設置されるアンテナに、ＲＦＩＤタグを有する会員カードが近づけられると、リーダライタが会員カードの情報を読み出し、サーバーがアンテナとともに陳列されている商品を特定し、前記サーバーは、会員カードの情報に基づいて当該会員が、その商品を嗜好しているか否かを判定し、当該会員がその商品を嗜好している場合、その会員が属するセグメントを判定し、その商品について、当該会員が属するセグメントの会員価格を商品データベースから読み出し、コントローラーに出力し、電子値札は、通常価格に代えて会員価格を表示する技術が知られている。（特許文献１）
【０００４】
また、表示記録媒体、情報読取書込装置、無線通信部及びストレージが接続され、かつ情報読取書込装置と無線通信部を介して情報の授受が可能なホストコンピュータを含んで構成され、前記表示記録媒体には媒体識別コード、表示情報識別コード、及び表示情報が記録され、前記コード情報読取部は媒体識別コードを読み取ってホストコンピュータへ送信し、書き換え要求がある場合、情報書込部はホストコンピュータから送信された表示情報識別コード及び表示情報を表示記録媒体に書き込むことにより、陳列棚の価格表示を紙ラベルではなく、表示を任意のタイミングで書き換え可能な電子的表示装置としたシステムが知られている（特許文献２）。
【０００５】
更に、情報送信部と、情報受信部と、時間情報管理部と、情報設定部とで構成し、非接触識別タグ、受信部と、送信部と、電源生成部と、制御部と、記憶部と、情報表示処理部と、電気泳動式表示装置と、時間情報測定部とで構成し、情報管理装置を、電気泳動式表示装置に所定の情報を表示させ、更に、その情報の時間情報の管理を行い、且つ、この管理内容に基づき前記表示内容を適切なものに変更することにより、情報をタイムリーにアップデートする技術が開示されている（特許文献３）
【特許文献１】特開２００５−２５８８７６号公報
【特許文献２】特開２００２−２０３２１３号公報
【特許文献３】特開２００４−２７２３５６号公報
【発明の開示】
【発明が解決しようとする課題】
【０００６】
解決しようとする課題は、来店者全員に案内するのではなく、その商品購入意図を示した会員に対してのみの商品価格データを、商品陳列棚に設置される棚ラベル表示装置から会員所持の携帯電話へワイヤレス送信し、画面へ表示させようとするものであるが、棚ラベル表示装置は、密集して配置されるため、小型で、電波干渉を発生しなく、バッテリ駆動できるように、通信における電力消費を最小限にすること、及び、複数の棚ラベル表示装置を立て続けに利用など不正利用を解決することにある。更に、会員の携帯電話操作は、ワンタッチ感覚で行えるようにするために、データ検索などに時間がかからないようにすることにある。
【０００７】
特許文献１に記載される会員カードには、会員ＩＤや会員名以外に、生年月日、嗜好カテゴリー、当月購入額、過去購入額などの会員データが記憶されて売り場のリーダライタ装置によってオンサイトで前記データがＩＣカードから読み込まれるが、前記会員カードには嗜好カテゴリーまで記憶されていて読み取りに時間がかかり、しかもリーダライタ装置は常時ポーリングで会員カードを読み取り待ち状態となっているので無駄な電力を浪費している。しかも、会員カードから前記リーダライタ装置によってデータが読み取られてからサーバーに問い合わせをして価格情報を電子値札に転送しているのでサーバーの負荷によっては過度な待ち時間を必要とし、リアルタイム性に問題がある。
【０００８】
特許文献２には、情報書換装置を使って電圧を印加することにより表示装置の表示を変更し、前記表示装置との通信方法は、表示装置に書き込まれた識別コードを光学的に読み取ることで表示された情報を入力するもので、表示装置の表示内容を変更するには、人手により情報書換装置を操作し、書き換えるので書き換え間違が発生する可能性があり、更に、表示手段はひとつしか無く、ここで表示されるのは来店者全員へ案内表示されるものであるので、複数の階層別顧客に対応することが出来ない。
【０００９】
特許文献３における非接触識別タグは、情報表示部と、前記書き込まれた情報に基づく画像を前記情報表示部に表示する情報表示手段と、前記電磁波供給手段により供給された電磁波から電源用電力を生成する電源生成手段とを備えているが、やはり情報表示手段はひとつしかないので、複数の階層別顧客に対応することが出来ない。
【課題を解決するための手段】
【００１０】
上記の課題を解決するため、本発明による棚ラベル表示装置においては、液晶表示器３、制御ＣＰＵ２、リーダライタ１０、携帯電話機タッチ検出手段７、ホストコンピュータ５ａとの通信インターフェース４と、表示データ記憶用メモリ装置６、制御用電源バッテリ９を備え、リーダライタ１０の電源制御機能を内蔵した棚ラベル表示装置とした。
【００１１】
また、本発明による棚ラベル表示装置においては、会員が来店時に、会員所持携帯電話の非接触ＩＣチップ固有ＩＤを登録端末機により、ホストコンピュータが読み出し、データベース処理して、対象の棚ラベル表示装置へ送信する。棚ラベル表示装置は、このホストコンピュータからの会員固有ＩＤ／価格データを受信し記憶、次に、会員が携帯電話を棚ラベル表示装置へタッチしたことを検出し、リーダライタ１０の電源をＯＮさせ、前記非接触ＩＣチップ固有ＩＤデータをリーダライタ１０で読み取り、記憶している会員固有ＩＤデータと照合、一致したら、対象の固有ＩＤにリンクしている価格データを携帯電話機８へ送信し、携帯電話の画面へ表示する機能を備える構成とした。また、ホストコンピュータから受信するデータは、タイムスタンプを付けて記憶し、一定時間経過したら消去する機能を付加している。
【００１２】
更に、会員の携帯電話機の非接触ＩＣチップメモリエリアに、顧客ステータスに該当する会員コード情報を、来店時に書き込み、棚ラベル表示装置へ携帯電話機がタッチされたときに、その会員コード情報を読み取り、記憶している会員コードと照合、一致したら、紐つけ記憶している価格データを、携帯電話非接触ＩＣチップへ送信し、携帯電話機の画面へ表示する機能を備える構成も考えられる。
【００１３】
また、電波干渉、及び電力消費を抑えるために、リーダライタ１０は、スタンバイ状態時、電源遮断とし、携帯電話機のタッチ操作検出により電源供給を開始し、会員データ読み取りと価格データ送信が終了したら、直後に遮断させ、再度の電源供給には、一定時間のタイムロック付き電源制御手段を備える構成とした。更に、書き換え可能であり、電源供給されなくても消えないメモリを搭載する構成でも良い。
【発明の効果】
【００１４】
本発明は、会員所持の非接触ＩＣチップ搭載携帯電話機の有効活用を図るべく、商品固有に設置された棚ラベル表示装置の制御に、リーダライタ１０を備え、携帯電話機搭載の非接触ＩＣチップの会員データ（固有ＩＤ情報）を読み取り、予めホストコンピュータから受信し記憶しておいた価格情報付き会員データ（固有情報）と照合し、一致したら、価格情報を携帯電話機へ送信し、携帯電話の画面へ表示する機能を設けたため、目的とする、その会員へのみ価格情報の表示を大掛かりな装置を必要とせず小型で実現できる。
【００１５】
また棚ラベル表示装置において、携帯電話非接触ＩＣチップと通信するリーダライタ１０の電源供給を、スタンバイ状態は遮断状態とし、携帯電話機がタッチされてから開始し、通信終了で遮断、再度起動には一定時間タイムロック付き電源制御機能を搭載したことにより、電波干渉せず、しかも省電力化ができバッテリ駆動が可能となる。会員データ及び価格データは、ワイヤレスでホストコンピュータから会員の来店時に受信し、タイムスタンプ付きで記憶、一定時間経過で消去する手段を備えたため、毎回ホストコンピュータへ問い合わせ通信が不要であり、棚ラベル表示装置のメモリの記憶件数増大を防止できることで、照合時間の短縮ができ、来店者が棚ラベル表示装置へワンタッチ感覚でアクセス表示できる。
【００１６】
更に、商品が陳列されている棚ラベル表示装置の目前で非接触ＩＣチップ機能付き携帯電話機の表示装置あるいは棚ラベル表示装置自体に、会員が興味のある商品に対する魅力的な価格提示を即座に出来るので、会員と商品と価格の三者が効果的にリンクし、会員の購買意欲を高めることが出来る。
【発明を実施するための最良の形態】
【００１７】
以下、本発明を実施するための最良の形態を図面に基づいて詳細に説明する。なお、以下の説明において、同一機能を有するものは同一の符号とし、その繰り返しの説明は省略する。
【００１８】
図１は、本発明における代表的なシステム図を示している。会員は、まず店舗入口に設置された登録端末５ｂの前で、ＩＣチップ機能部を持つ携帯電話機８をリーダライタ装置５ｃにかざして入場登録をする。ホストコンピュータ５ａは、非接触ＩＣチップの固有ＩＤデータを読み出し、データベースを使ってデータ処理し、通信インターフェース５により、対象の棚ラベル表示装置へデータ送出される。
【００１９】
一方、商品棚に取り付けられた棚ラベル表示装置１には通信インターフェース４が取り付けられ、前記ホストコンピュータ５ｂ側の通信インターフェース５との通信により必要なデータを受信すると共に、デフォルトデータとして通常価格を表示する。この通信のデータ通信方法としては、赤外線通信ＩｒＤＡ、ＵＨＦ帯やマイクロ波を含む無線ＬＡＮなどが考えられ、２．４５ＧＨｚを使うＢｌｕｅｔｏｏｔｈ（登録商標）などの双方向通信方法も含まれる。
【００２０】
次に、前記会員が店舗入口から店舗内部に進み、希望する商品が陳列される商品棚に近づき、購買する意志表示として棚ラベル表示装置１へ携帯電話をタッチする。棚ラベル表示装置１は、タッチ検出手段により携帯電話を検出したら、リーダライタ１０の電源供給開始し、非接触ＩＣチップ１１との通信を開始して、前記非接触ＩＣチップ１１から固有ＩＤデータの読み出しを行い、記憶している固有ＩＤ／価格データ対応表と照合、一致したら価格データを携帯電話非接触ＩＣチップ１１へ送信する。
【００２１】
非接触ＩＣチップ１１に送信することで、携帯電話機８の画面へ表示され、棚ラベル表示装置１がデフォルトで表示する通常価格とは異なる価格や他の情報を閲覧することが可能となる。
【実施例１】
【００２２】
図２は、本発明の実施例１のブロック図を示し、非接触ＩＣチップ固有データを読み出し、該固有ＩＤ別に登録された会員価格を携帯電話に表示する例である。
【００２３】
まず、棚ラベル表示装置１は、通常価格データをホストコンピュータ５ａから通信インターフェース４を通じて受信、メモリ６へ記憶、液晶表示器３に表示する。
【００２４】
会員が店舗に入ると、ホストコンピュータ処理により、会員は店舗入り口に設置された登録端末機５ｂの前で、ＩＣチップ機能部を持つ携帯電話機８をリーダライタ装置５ｃにかざすことで、非接触ＩＣチップ１１から固有ＩＤが読み出され、会員の携帯電話機８が特定され制御処理される。
【００２５】
更に、ホストコンピュータ５ａは、前記非接触ＩＣチップ固有データに紐付けされた商品の特別価格データを該非接触ＩＣチップ固有データと対にして、通信インターフェース５により、対象の棚ラベル表示装置１に送信する。棚ラベル表示装置１は、通信インターフェース４により受信し、メモリ６にタイムスタンプを付けて前記携帯電話の非接触ＩＣチップ固有データ／価格対応表として格納する。ここで、前記会員の属性として棚ラベル表示装置１を設置した商品が特別価格を持つ商品では無い場合には、棚ラベル表示装置１へのデータ送信は行われない。
【００２６】
前記処理の後、棚ラベル表示装置１は、スタンバイ状態となり、携帯電話機８を所持する会員によるタッチ待ちとなる。このとき、棚ラベル表示装置１の表示機へは、通常価格を表示する。
【００２７】
次に、非接触ＩＣチップ搭載携帯電話機を所持した会員が、棚ラベル表示装置に接近し、購入を予定する商品陳列棚に設置された棚ラベル表示装置１に携帯電話機を使ってタッチする。棚ラベル表示装置１は、携帯電話タッチ検出手段７によりタッチを検出したら、リーダライタ１０への電源供給を開始し、非接触ＩＣチップから固有ＩＤ読み出し通信を行う。
【００２８】
ＣＰＵ２は、リーダライタ１０により読み出した携帯電話非接触ＩＣチップ固有データを、メモリ６に記憶している固有データと照合、一致すれば、リーダライタ１０を介して、非接触ＩＣチップ固有データに対応した価格データを非接触ＩＣチップ１１に送信、完了したらリーダライタ１０の電源を遮断する。この棚ラベル表示装置からの携帯電話非接触ＩＣチップ通信により、前記会員に提供できる価格データが携帯電話機の画面に表示される。もしメモリ６の非接触ＩＣチップ固有データ／価格対応表に該当する非接触ＩＣチップ固有データが無い場合には、価格データの送信は行わないが、例えば、会員募集のＵＲＬなど宣伝情報を棚ラベル表示装置と携帯電話非接触ＩＣチップ通信で行うことも考えられる。一旦、携帯電話への通信が行われたら、その後の再起動までは、一定時間のタイムロックをかけ、立て続けの利用を防止する。また、ホストコンピュータから受信し記憶したデータのタイムスタンプをチェックし、一定時間経過したら記憶データを消去する。なお、この一定時間は、来店者が店内に留まっている時間を想定してきめる。
【００２９】
ここで、棚ラベル表示装置１のメモリ６には、例えば、非接触ＩＣチップ固有データがＩＤ１の場合はＧ−１グループに属し、価格−１、非接触ＩＣチップ固有データがＩＤ２の場合はＧ−２グループに属し、価格−２といった具合に、棚ラベル表示装置１の対応する商品に該当する会員については入場者数だけのデータがメモリ６に格納されることになる。
【００３０】
更に、メモリ６に格納する価格以外のデータとしては、場所コード、商材コード、キャンペーン強調の色表示コード、会員属性に合わせた宣伝やお知らせ情報などを送出することも考えられる。
【００３１】
前記において、携帯電話機内蔵非接触ＩＣチップに転送された価格データは、携帯電話機８の持つ携帯電話機画面制御機能により、携帯電話機内蔵非接触ＩＣチップ１１から読み出されて携帯電話機８の画面に表示される。
【００３２】
棚ラベル表示装置１は、バッテリ９の消耗を避けるため、前記会員ＩＤに該当する価格データをリーダライタ１０から出力するとすぐにバッテリ９と非接触ＩＣチップリーダライタ１０の接続を切断するが、送信データは携帯電話機に内蔵される非接触ＩＣチップ１１のメモリに保存されているので携帯電話機８における表示には支障は無い。
【００３３】
図３は、本発明の実施例１における入場登録フローチャートを図示している。これは、ホストコンピュータの処理であり、前述の店舗入口付近に設置した登録端末機５ｂで、会員が携帯電話機８を前記登録端末機５ｂのリーダライタ装置５ｃに近づけると、前記リーダライタ装置５ｃによって携帯電話機の非接触ＩＣチップ１１の固有データが読み出され、該固有データはホストコンピュータ５ａにてデータベース処理され、対象の棚ラベル表示装置へ送出される。
【００３４】
図４は、実施例１の棚ラベル表示装置１におけるフローチャートであり、非接触ＩＣチップ１１の固有ＩＤデータを使って棚ラベル表示装置１から携帯電話機８に価格データを転送する処理の流れを図示している。
【００３５】
前述の通り、会員が店舗に入り店舗入口に設置されたリーダライタ５ｂのアンテナ部に携帯電話機８を近づけると、非接触ＩＣチップ１１からＩＣチップ固有データが読み出され、ホストコンピュータ５ａにより判断され、会員登録してあるＩＣチップ固有データである場合は、該当するＩＣチップ固有データと共に所定の特別価格データが該当する棚ラベル表示装置１に随時送信される。
【００３６】
棚ラベル表示装置１においては、ステップＳ１−２で通常価格を液晶表示機３へ表示する。一方、ステップＳ１−３でホストコンピュータからの会員固有ＩＤ／価格データの送信を待ち、受信したら、その時点のタイムスタンプ付きで記憶することで、携帯電話機の利用者によるタッチを待つスタンバイ状態となる。このとき、ＤＬnタイマーをスタートさせる。ステップＳ１−５で、携帯電話機８の利用者がタッチ検出手段７にタッチしたことを検出すると、ステップＳ１−６でリーダライタ１０の電源がＯＮとなるが、ステップＳ１−５でタッチが検出されない場合はステップＳ１−１２へ飛ぶ。ステップＳ１−６でリーダライタ１０の電源がＯＮとなった後、ステップＳ１−７で携帯電話機の非接触ＩＣチップからＩＣチップ固有データを読み出し、このＩＣチップ固有データを元に、制御ＣＰＵ２は、記憶しているデータをステップＳ１−８で照合する。ここでデータが照合されると、ステップＳ１−９でメモリ６に記憶している価格データを携帯電話機内蔵非接触ＩＣチップ１１へ送信する。この通信により、携帯電話８の画面に価格が表示される。この通信が終了したら、ステップＳ１−１０で、リーダライタ１０の電源を遮断する。次に、ステップＳ１−１１でタイムロックタイマー処理し、ステップＳ１−１２で、記憶データのタイムスタンプチェックを行い、ＤＬnタイマーが一定時間経過した記憶データは、ステップＳ１−１３で消去する。
【実施例２】
【００３７】
図５は、本発明における実施例２のブロック図を示している。これは、会員所持の携帯電話搭載非接触ＩＣチップのメモリエリアを利用する方式であり、ホストコンピュータ処理により、会員が来店時、登録端末機５ｂで非接触ＩＣチップ固有データを読み出し、顧客ステータスに該当する会員コード情報を携帯電話機８に内蔵される非接触ＩＣチップ１１に書き込むシステムである。
【００３８】
まず、開店前の準備として、ホストコンピュータから顧客ステータスに対応したコード／価格対応表データを通信インターフェース４を通じて受信し、棚ラベル表示装置１のメモリ６へ記憶しておく。
【００３９】
前記会員コード情報には、該当する商品、例えばササニシキ１０ｋｇ袋入という米の商品番号、あるいは該商品番号にリンクしたデータと管理データ（例えば作成日付などのデータ識別情報）および価格属性（通常価格とグレード別の特別価格）などの情報が含まれている。
【００４０】
前記会員コード情報と価格の対応として、例えばコード００００に対応する価格が価格−０（通常価格）、コード０００１に対応する価格が価格−１、コード０００２に対応する価格が価格−２、コード０００３に対応する価格が価格−３、コード０００４に対応する価格が価格−４、コード０００５に対応する価格が価格−５などとなっていて、各棚ラベル表示装置は、前記の様にホストコンピュータから、予め受信しておくものとする。
【００４１】
前記のホストコンピュータからの受信完了により、棚ラベル表示装置１はスタンバイ状態となり、会員による携帯電話タッチ待ちとなる。このとき、棚ラベル表示装置の表示器には、通常価格が表示される。
【００４２】
例えばここで、会員属性として、会員Ａには会員コード０００１、会員Ｂには会員コード０００３、会員Ｃには会員コード０００５が割り当てられていたとする。
【００４３】
会員が、店舗に入ると、会員は店舗入口に設置された登録端末５ｂの前で、ＩＣチップ機能部を持つ携帯電話機８をリーダライタ装置５ｃにかざす。ホストコンピュータにより、読み出された非接触ＩＣチップの固有ＩＤデータによって携帯電話機８が特定され、会員の特定作業がなされる。そして、会員が特定されると、ホストコンピュータ５ｂは会員が属するグループの会員コード情報をリーダライタ装置５ｃによって非接触ＩＣチップ１１に書き込まれ、例えば会員Ａが入場した場合には会員コード０００１が会員Ａの携帯電話機の非接触ＩＣチップ１１に書き込まれる。
【００４４】
次に、会員が、購入を予定する商品陳列棚に設置された棚ラベル表示装置１に携帯電話機を使ってタッチすることにより、棚ラベル表示装置１は前記会員によって購買の意志があることをタッチ検出手段７により検出し、リーダライタ１０への電源供給を開始し、ＣＰＵ２は、リーダライタ１０にて非接触ＩＣチップ１１と通信を開始する。
【００４５】
棚ラベル表示装置１のＣＰＵ２は、携帯電話８の非接触ＩＣチップから、来店時に書き込まれた会員コード情報を読み出す。
【００４６】
そして、棚ラベル表示装置１のメモリ６に格納された前記会員コード情報／価格対応表と照合をする。記憶しているコード情報と一致する会員であった場合には、対応表の価格データを、非接触ＩＣチップリーダライタ１０から携帯電話機８の非接触ＩＣチップ１１へ送信し、送信が完了したらリーダライタ１０の電源を遮断する。この棚ラベル表示装置１から携帯電話非接触ＩＣチップ１１への通信により、前記会員に提供できる価格データが携帯電話機８の画面に表示される。
この方式の場合には、会員の来店時に、ホストコンピュータとの通信を行わないため、バッテリ９の消耗をより減らせる効果がある。また、実施例１と同じように、一旦、携帯電話８との通信をしたのちは、一定時間のタイムロックをかけ、立て続けの利用を防止する機能も付加する。
【００４７】
ここで、棚ラベル表示装置と携帯電話非接触ＩＣチップ通信とは、非接触ＩＣチップリーダライタ１０、携帯電話機内蔵非接触ＩＣチップ１１および携帯電話機８に内蔵された携帯電話機アプリ制御との間の通信を意味する。
【００４８】
ここで、棚ラベル表示装置１のメモリ６には、例えば、コード０００１であれば価格−１、コード０００２であれば価格−２というように会員属性に適合した価格データが記録されており、携帯電話の非接触ＩＣチップ１１には、対応の価格データのみ送出される。また、価格表示は、携帯電話機８だけでなく、棚ラベル表示装置１の液晶表示器３に、時間を限定して表示しても良い。
【００４９】
更に、メモリ６に格納する価格以外のデータとしては、場所コード、商材コード、キャンペーン強調の色表示コード、会員属性に合わせた宣伝や当該棚ラベル表示装置の表示する価格を持つ商品に関連したお知らせ情報などを送出することも考えられる。
【００５０】
棚ラベル表示装置１は、バッテリ９の消耗を避けるため、前記会員コード情報データに基づく価格データをリーダライタ１０から出力するとすぐにバッテリ９とリーダライタ１０の接続を切断するが、送信データは携帯電話機に内蔵される非接触ＩＣチップ１１のメモリに保存されているので携帯電話機８における表示には支障は無い。
【００５１】
図６は、本発明の実施例２における入場登録フローチャートを図示している。
会員が店舗に入ると、会員は店舗入口に設置された登録端末機５ｂのリーダライタ装置５ｃに備えられたアンテナ部に非接触ＩＣチップ搭載携帯電話機８をかざす。ホストコンピュータにより読み出された非接触ＩＣチップ１１の固有ＩＤデータで携帯電話機８が照会され、その携帯電話機８の所有者である会員の特定がなされる。そして、会員が特定されると、ホストコンピュータ５ｂは、会員が属するステータス顧客ステータスに該当する会員コード情報を、リーダライタ装置５ｃによって、携帯電話機８に内蔵される非接触ＩＣチップ１１に書き込む。書き込むデータとしては、例えば会員Ａが入場した場合には、会員コード０００１が、会員Ａの携帯電話機の非接触ＩＣチップ１１に書き込まれるものとする。
【００５２】
図７は、実施例２において、非接触ＩＣチップ１１を搭載した携帯電話を使う棚ラベル表示装置１のプログラムフローチャート例を示している。
【００５３】
前述の通り、ステップＳ２−２において、会員コード情報と価格情報があらかじめホストコンピュータ５ａから対象の棚ラベル表示装置１に送られてきていて、これらのデータは棚ラベル表示装置１のメモリ６に保存されている。
【００５４】
ステップＳ２−３で液晶表示器３に通常価格を表示するとともに、棚ラベル表示装置１は、携帯電話機のタッチを待つスタンバイ状態となる。ステップＳ２−４で、タッチ検出手段７により、携帯電話機８のタッチしたことを検出すると、ステップＳ２−５でリーダライタ１０の電源がＯＮとなるが、ステップＳ２−４でタッチが検出されない場合はステップＳ２−３に戻って通常価格の表示を継続し、更にステップＳ２−４で携帯電話機の利用者によるタッチ検出を繰り返す。
【００５５】
ステップＳ２−５でリーダライタ１０の電源がＯＮとなった後、ステップＳ２−６で携帯電話機の非接触ＩＣチップから非接触ＩＣチップの会員コード情報を読み出し、この読み出しデータを元に、制御ＣＰＵ２は、記憶しているデータをステップＳ２−７で照合する。ここでデータが照合されると、ステップＳ２−８で価格データを携帯電話機内蔵非接触ＩＣチップ１１へ送信する。この通信によって、携帯電話機８の画面に価格データが表示される。次にステップＳ２−９で、リーダライタの電源をＯＦＦさせ、ステップＳ２−１０で一定時間のタイムロック処理を行う。
【００５６】
棚ラベル表示装置のバッテリ動作時間を延長する方策としては、ソーラバッテリー搭載による店内照明器具からの充電、非接触ＩＣハンディ端末からのＲＦ充電なども考えられる。
【００５７】
また、棚ラベル表示装置１には、初期設定データとして、商材コード（バーコードなど）、ロケーションを示すコードなどが必要である。この初期設定に用いる手段として専用ハンディ端末以外に、非接触ＩＣチップ搭載携帯電話機を設定器として使用する方法、例えば携帯電話機のｉアプリ（登録商標）機能で受信した初期設定データを該携帯電話機の内蔵非接触ＩＣチップ部分へ記録し、そのデータを棚ラベル表示装置へセットする方法も考えられる。
【００５８】
また、棚ラベル表示装置の携帯電話機タッチ検出手段を店員の呼び出しボタンや安全上の防犯通報機能にも兼用することも考えられる。
【００５９】
更に、棚ラベル表示装置のメモリへレシピデータなどを記憶させておくことでお奨め調理方法などを携帯電話機画面へ表示することもできるようになる。
【００６０】
また、携帯電話機の非接触ＩＣチップ固有情報を読み取る方式以外に、前記非接触ＩＣチップに固有の電子マネーＩＤなどを使うことも考えられる。
【実施例３】
【００６１】
図８は、本発明の実施例３のブロック図を示している。実施例１及び実施例２においては、特別価格を携帯電話機の表示手段を使って表示させたが、実施例３では表示手段を持たないＩＣカードなどを使う場合を想定している。
【００６２】
システム構成においては、非接触ＩＣチップ１１を持つ携帯電話機８が非接触ＩＣチップ１１を持つＩＣカードになり、会員固有ＩＤに対応した特別価格を表示する場所が、携帯電話機８の表示手段ではなく、棚ラベル表示装置１の液晶表示器３になった点でのみ実施例３と実施例１、２は異なるが、基本動作は実施例１又は実施例２と同様なので説明は省略する。
【００６３】
図９は、実施例３のプログラムフローチャートであり、非接触ＩＣチップ１１を搭載したＩＣカードを使う棚ラベル表示装置１のプログラムフローチャートとなっている。
【００６４】
会員の来店時の処理は、図３、及び図６と同じであり、携帯電話非接触ＩＣチップの代わりが、非接触ＩＣカードに相当するのみであるため、説明は省略する。
【００６５】
次に、ステップＳ３−５で、非接触ＩＣカードを所持した会員が、購入を予定する商品陳列棚に設置された棚ラベル表示装置１に、非接触ＩＣカードをタッチする。棚ラベル表示装置１は、タッチ検出手段７によりタッチを検出したら、リーダライタ１０の電源供給を開始し、ステップＳ３−７で非接触ＩＣカードのチップからの固有ＩＤデータを読み出す。
【００６６】
ＣＰＵ２は、ステップＳ３−８で、リーダライタ１０により読み出した非接触ＩＣチップ固有ＩＤデータを、メモリ６に記憶している固有ＩＤデータと照合し、一致すれば、ステップＳ３−９で棚ラベル表示装置１の表示部３へ一定時間表示する。
【００６７】
次にステップＳ３−１０でリーダライタ１０の電源をＯＦＦさせ、ステップＳ３−１１でタイムロック処理し、ステップＳ３−１２で、記憶データのタイムスタンプチェックを行い、ＤＬnタイマーで一定時間経過した記憶データの消去処理を行う。
【００６８】
図１０（ａ）は、本発明の実施例１乃至３で使われる棚ラベル表示装置外観図を示している。棚ラベル表示装置１の正面には検出用可動蓋１２が取り付けられ、その奥には液晶表示部３が設けられている。
【００６９】
図１０（ｂ）は、図１０（ａ）のＡ−Ａ断面図を示している。装置正面に取り付けられた検出用可動蓋１２の裏には液晶表示部３、タッチ検出手段７およびバネ１３が設けられている。検出用可動蓋１２は通常はバネ１３で押された状態にある。タッチ検出手段７には、例えばマイクロスイッチなどを使うことが出来る。利用者の意志表示としての動作検出メカニズムとしては、レバー７ａが検出用可動蓋１２に押されて、スイッチのボタン７ｂを押し込むことにより蓋がタッチされたことを検出できる仕組みになっている。
【００７０】
液晶表示部３およびタッチ検出手段７は制御基板１４によって制御されており、制御基板には図１に記載された液晶表示部３、通信インターフェース４、ホスト側の通信インターフェース５、メモリ６、タッチ検出手段７、バッテリ９、リーダライタ１０が搭載されている。
【００７１】
なお、棚ラベル表示装置と携帯電話非接触ＩＣチップ通信における通信インターフェース仕様としては、ＩＳＯ１４４４３（近接型），ＩＳＯ１５６９３（近傍型）、ＩＳＯ１８０９２（Ｎｅａｒ  Ｆｉｅｌｄ  Ｃｏｍｍｕｎｉｃａｔｉｏｎ）などの方法が利用できる。
【産業上の利用可能性】
【００７２】
店統一の商品価格表示を行っている大中規模店舗において、来店者の携帯電話機へ価格表示を行う装置を提供することにより、従来のチラシによる紋切り方のサービスではなくＴＰＯに応じたきめ細かい会員サービスが可能となると同時に会員への特定価格情報が第三者へ流出しなくなり、また店舗の独自サービスが有効に実施される。結果的には、長期に渡って安定した顧客の囲い込みが可能となり、店舗の経営が安定する。
【図面の簡単な説明】
【００７３】
【図１】本発明におけるシステム概略図
【図２】本発明の実施例１のブロック図
【図３】本発明の実施例１における入場登録フローチャート
【図４】本発明の実施例１における棚ラベル表示装置フローチャート
【図５】本発明の実施例２のブロック図
【図６】本発明の実施例２における入場登録フローチャート
【図７】本発明の実施例２における棚ラベル表示装置フローチャート
【図８】本発明の実施例３のブロック図
【図９】本発明の実施例３のフローチャート
【図１０】（ａ）本発明の棚ラベル表示装置外観図、（ｂ）同断面構造図
【符号の説明】
【００７４】
１…棚ラベル表示装置、  ２…制御ＣＰＵ、  ３…液晶表示部、  ４…通信インターフェース、  ５…ホスト側の通信インターフェース、  ５ａ…ホストコンピュータ、  ５ｂ…登録端末機、  ５ｃ…登録端末機のリーダライタ装置、  ６…メモリ、  ７…タッチ検出手段  ７ａ…レバー、  ７ｂ…スイッチのボタン、  ８…携帯電話機、  ９…バッテリ、１０…リーダライタ、  １１…非接触ＩＣチップ、  １２…検出用可動蓋、  １３…バネ、  １４…制御基板。 
【図１】
2008146478.tif 000003
【図２】
2008146478.tif 000004
【図３】
2008146478.tif 000005
【図４】
2008146478.tif 000006
【図５】
2008146478.tif 000007
【図６】
2008146478.tif 000008
【図７】
2008146478.tif 000009
【図８】
2008146478.tif 000010
【図９】
2008146478.tif 000011
【図１０】
2008146478.tif 000012
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
商品価格を表示する液晶表示器３、棚ラベル表示装置全体を制御する制御ＣＰＵ２、会員の店舗入口通過時にホストコンピュータ５ａによってリーダライタ１０を介して携帯電話機８の固有ＩＤデータが読み込まれた非接触ＩＣチップ１１と通信するリーダライタ１０、非接触ＩＣチップ１１を搭載した携帯電話機８によるタッチ検出手段７、ホストコンピュータ５ａとの通信インターフェース４と、タイムスタンプを付けた前記固有ＩＤデータと共に価格対応表として価格データを保存するメモリ６、棚ラベル表示装置全体に電源を供給する電源バッテリ９を備える棚ラベル表示装置において、
下記の動作により前記電源バッテリ９の電力消費を制御することを特徴とする棚ラベル表示装置。
（１）制御ＣＰＵ２は、携帯電話機８によって前記タッチ検出手段７がタッチが検出されると前記電源バッテリ９からリーダライタ１０への電源供給を開始する。
（２）ホストコンピュータ５ａは、前記リーダライタ１０を介して前記非接触ＩＣチップ１１から前記固有ＩＤデータを読み出す。
（３）制御ＣＰＵ２は、通信インターフェース４経由で受信してメモリ６に事前保存した前記固有ＩＤデータに対応した前記価格データを、前記ＩＣチップ１１に書き込んだ後に、前記電源バッテリ９からリーダライタ１０への電源供給を遮断する。
（４）前記制御ＣＰＵ２は、一定時間のタイムロックをかけ、強制的に待ち時間を設けて起動を制限する。
【請求項２】
商品価格を表示する液晶表示器３、棚ラベル表示装置全体を制御する制御ＣＰＵ２、会員の店舗入口通過時にホストコンピュータ５ａによりリーダライタ１０を介して会員コード情報を書き込まれた、非接触ＩＣチップ１１と通信するリーダライタ１０、非接触ＩＣチップ１１を搭載した携帯電話機８によるタッチ検出手段７、ホストコンピュータ５ａとの通信インターフェース４と、価格データを保存するメモリ６、棚ラベル表示装置全体に電源を供給する電源バッテリ９を備える棚ラベル表示装置において、
下記の動作により前記電源バッテリ９の電力消費を制御することを特徴とする棚ラベル表示装置。
（１）制御ＣＰＵ２は、携帯電話機８によって前記タッチ検出手段７がタッチが検出されると前記電源バッテリ９からリーダライタ１０への電源供給を開始する。
（２）ホストコンピュータ５ａは、前記リーダライタ１０に前記非接触ＩＣチップを搭載した携帯電話機８のＩＣチップから前記会員コード情報を読み出す。
（３）制御ＣＰＵ２は、通信インターフェース４を介して受信してメモリ６に保存された会員コード情報／価格対応表データの中から前記会員コード情報に対応した価格データをタイムスタンプと共に前記ＩＣチップ１１に書き込み、その後に前記電源バッテリ９からリーダライタ１０への電源供給を遮断する。
（４）前記制御ＣＰＵ２は、一定時間のタイムロックをかけ、強制的に待ち時間を設けて起動を制限する。
【請求項３】
請求項１又は請求項２のいずれか１項に記載の棚ラベル表示装置において、メモリ６は、書き換え可能であり、電源供給されなくても消えないメモリであることを特徴とする棚ラベル表示装置。